(57)【特許請求の範囲】
【請求項１】
火災受信機等の受信部からの信号線に複数の火災感知器が並列に接続されてなる火災報知機において、
上記各火災感知器に上記受信部から開放状態で送り配線される出力線が設けられて、
上記受信部は、上記各火災感知器に点検開始される点検開始信号、送出開始信号および送出停止信号をそれぞれ送出する信号送出回路と、上記各火災感知器の信号を監視する受信回路と、上記送出開始信号と上記送出停止信号との間に上記受信回路が受けた信号を点検信号と認識する点検検出手段と、上記送出開始信号と上記送出停止信号との間以外に上記受信回路が受けた信号を火災信号と認識する火災検出手段と、を有し、
上記各火災感知器は、上記出力線からの上記点検開始信号に基づき点検動作を行い上記送出開始信号と上記送出停止信号との間に上記信号線に点検信号を送出し火災監視動作を行う制御回路と、上記送出停止信号に基づいて上記出力線の入力側と出力側を閉成する短絡回路と、を有することを特徴とする火災報知機。
【請求項２】
信号線は、コモン線およびライン線からなり、該ライン線が出力線を兼用する請求項１の火災報知機。
【発明の詳細な説明】
【０００１】
【発明の属する技術分野】
本発明は、住戸内に点在する火災感知器の試験を住戸外から遠隔に行える火災報知機に関する。
【０００２】
【従来の技術】
従来、火災感知器の動作試験は、感知器の種別により加熱試験器や加煙試験器を用いて熱または煙を実際に加えて試験を行っていた。また、熱や煙を直接加える試験は、人や時間を要し感知器を汚すことになるので、火災感知器内部の回路にテスト電圧を加え、検出部を動作させて模擬的に試験することなど、種々の試験方法がある。
【０００３】
【発明が解決しようとする課題】
住戸に設けられる火災報知機において、点検を行う場合に、そこの住居人が不在の場合がある。例えば、住戸の管理人がある場合には、立ち会いを依頼して住戸内に入ることができるが、手間が係る。一般的には、火災報知機の点検員であっても、住戸内に他人を入れるのは好まれず、点検作業が手間取ることが多い。
【０００４】
そこで、特開平５−３４６９９５号公報には、住戸の外部から個別に火災感知器に点検入力を戸外表示器から行うことを目的として、周波数により特定されたアダプタが感知器に試験電圧を発生させ動作試験する火災報知機が開示されている。しかし、この公報の火災報知機では、個別にアダプタと戸外表示器の信号送出回路の周波数を合わせるために調整する必要があるとともに、試験結果は火災受信機の動作に基づいて鳴動させられる戸外ブザーにより確認を行っていた。
【０００５】
本発明は、住戸の外部から火災感知器の試験を簡便に行える火災報知機を得ることを目的とする。
【０００６】
【課題を解決するための手段】
上記の点に鑑み、本願の発明は、火災受信機等の受信部からの信号線に複数の火災感知器が並列に接続されてなる火災報知機において、各火災感知器に受信部から開放状態で送り配線される出力線が設けられて、受信部は、各火災感知器に点検開始される点検開始信号、送出開始信号および送出停止信号をそれぞれ送出する信号送出回路と、各火災感知器の信号を監視する受信回路と、送出開始信号と送出停止信号との間に受信回路が受けた信号を点検信号と認識する点検検出手段と、送出開始信号と送出停止信号との間以外に受信回路が受けた信号を火災信号と認識する火災検出手段と、を有し、各火災感知器は、出力線からの点検開始信号に基づき点検動作を行い送出開始信号と送出停止信号との間に信号線に点検信号を送出し火災監視動作を行う制御回路と、送出停止信号に基づいて出力線の入力側と出力側を閉成する短絡回路と、を有することを特徴とするものである。
【００１０】
【発明の実施の形態】
以下、本発明の一実施形態について説明する。図１はシステムの一実施形態を概略的に示す構成図である。
【００１１】
例えば住戸内の居間に設けられた火災受信機１から引き出されたコモン線２およびライン線３からなる電源兼信号線に、各部屋等に設けられる複数の火災感知器４が送り配線によって並列に接続され、その信号線２、３の後端には終端抵抗５が接続されている。
【００１２】
また、信号線２、３の火災受信機１と各火災感知器４との間には、常時はコモン線２およびライン線３を火災受信機１に切り換え接続している線路切換器６が配置されている。そして、線路切換器６からは各火災感知器４に点検入力を行うための出力線７が配設されている。この出力線７は、各火災感知器４に順送りできるように配線され、後端の火災感知器４から先は、出力線７とコモン線２間の終端器としての終端ダイオード８を介してコモン線２に接続されている。この出力線７は、常時は無電圧の状態となっている。また、線路切換器６から火災受信機１側には、点検出力線９が配線されている。
【００１３】
常時は、各火災感知器４は、信号線２、３を通じて火災受信機１から供給される電源によってそれぞれ火災監視を行って、火災検出時にはスイッチング動作を行って信号線２、３間を略短絡状態とする。火災受信機１は、そのスイッチング動作に基づく低インピーダンスの略短絡状態を検知して火災報知動作を行う。このとき、火災受信機１は、例えば玄関脇に設けられ接続される戸外表示器１０に火災表示を行ったり、住戸完結型でなく、図示しない住棟受信機が建物全体の監視制御として設けられているときには、必要な火災信号を住棟受信機に出力する。
【００１４】
点検時には、線路切換器６から戸外の例えば戸外表示器１０の側に引き出されたコネクタ１１に、点検器１２がコネクタ接続される。この点検器１２からの点検操作に基づき、線路切換器６は、火災受信機１へ点検出力線９を介して点検開始出力を行い、火災受信機１へ点検中を表示されるとともに、各火災感知器４への信号線２、３を、火災受信機１から切り離し、点検器１２へ接続する。この状態において、火災受信機１は、線路切換器６の点検開始出力に基づき点検表示を行い、点検器１２からの戸外点検が可能となる。このとき、各火災感知器４は信号線２、３を通じて点検器１２から供給される電源によって動作する。
【００１５】
この点検器１２からのモードは３通りであって、入室せずに外部から試験を行い、システム全体の良否を判別する戸外点検モードと、その点検モードで異常が有るときに、入室して異常の火災感知器の場所を特定するための感知器特定モードと、特定の感知器のみを点検する感知器指定モードと、を有する。
【００１６】
図２は、火災感知器４のｎ個接続時の戸外点検モードにおける、出力線７への点検器１２の端子Ｇ出力、出力線７からの各火災感知器４の端子ＧＩ入力、および、信号線２、３による点検器１２の端子Ｃ、Ｌ間で検出される信号波形である。点検器１２は、出力線７に対して端子Ｇから点検入力としての電圧を印加して図３に示すようなタイミングで例えば幅５ｍＳのパルスＡ、Ｂ、Ｃの出力を行う。
【００１７】
各火災感知器４の端子ＧＩ、ＧＯ間は常時オープンであり、図２の波形における１番目の感知器は、端子ＧＩへの電圧印加により内蔵するマイコン等による制御回路が立ち上がり、パルスＡ１の立ち下がりにより、点検動作を開始する。この点検動作においては、感知器が光電式煙感知器の場合、通常約３秒間隔の発光、３回の連続検出で火災とするが、クイックチャージを行うとともに、点検用発光ダイオードの発光に基づき１回検出により点検を行う。また、サーミスタ式熱感知器の場合には、サーミスタに固定抵抗を並列に接続することにより点検を行う。さらに、バイメタルや空気室を用いた熱感知器においても、接点機構に閉成動作を行わせて、各々疑似入力方式によって点検を行う。ここで、図３のパルスＡとパルスＢの間隔ＴＷ１は、各火災感知器４が点検動作を行うのに十分な時間、例えば０．５秒である。
【００１８】
そして、１番目の感知器は、その点検結果に基づいて正常であれば、パルスＢ１の立ち下がりからパルスＣ１の立ち下がりまで、端子Ｃ、Ｌ間をスイッチングする。その信号の波形が図２の点検器１２の端子Ｃ、Ｌ間の波形にパルスとして現れている。対応する図３のパルスＢとパルスＣの間隔ＴＷ２は、点検器１２が動作確認のための点検信号として検出できる時間であればよく、例えば２０ｍＳである。そして、図２のパルスＣ１の立ち下がりの検出時に端子ＧＩ、ＧＯ間を短絡し、その結果、パルスＣ１の送出終了後、２番目の感知器の端子ＧＩには電圧が点検入力として印加され、内蔵のマイコンが立ち上がる。対応する図３のパルスＣと次のパルスＡの間隔ＴＷ３は制御回路のためのマイコンの立ち上がり等、点検動作準備に十分な時間が取られ、例えば３０ｍＳである。
【００１９】
そして、図２のパルスＡ２の立ち下がりにより、２番目の感知器が点検動作を開始するが、このときに１番目の感知器は、端子ＧＩ、ＧＯ間を短絡と同時に通常と同様の監視動作を行っていて、点検動作は行わない。最終のｎ番目の感知器の点検終了後、出力線７は終端ダイオード８を介してコモン線２に接続されることになり、点検器１２は、終端ダイオード８を流れる電流を検出して、全ての感知器の点検終了とし、端子Ｇの出力を停止する。各感知器４は、端子ＧＩへの入力停止に基づき端子ＧＩ、ＧＯ間をオープンにして、通常の監視状態に復帰する。
【００２０】
このように、戸外点検モードでは、出力線７を用いて各感知器４の端子ＧＩに点検入力の信号を送り、点検動作後に端子ＧＩ、ＧＯ間を短絡するので、確実に順送りに点検動作を行わせ、ｎ番目の感知器まで点検結果に基づく点検信号を点検器１２の端子Ｃ、Ｌ間でパルスとして検出することにより、点検動作が正常に完了した感知器の個数や異常の感知器が何番目かが把握できる。また、同一の信号線２、３に接続された点検中以外の感知器は、電源兼信号線２、３を通じて供給される点検器１２からの電源により火災監視を続行していて、火災を検出した感知器は通常の火災信号を発する。点検器１２は、図３におけるパルスＢ、Ｃの間隔ＴＷ２に同期しない信号の検出により、火災と判別する。
【００２１】
次に、上記戸外点検モードで異常が有るときに異常の火災感知器の場所を特定するための感知器特定モードについて説明する。このときの波形を、図２および図３と同様に、図４および図５に示す。
【００２２】
各火災感知器４の端子ＧＩ、ＧＯ間は、上記戸外点検モードの終了後等で点検入力が出力されていないのでオープンであり、点検器１２は、上記同様図４に示すパルス幅が５ｍＳのパルスＡ１〜Ｃｎを出力する。
【００２３】
１番目の感知器は、端子ＧＩへの電圧印加により内蔵するマイコンが立ち上がり、図４のパルスＡ１の立ち下がりにより点検動作を開始する。そして、図５に示すように、感知器特定モードのパルスＡとパルスＢとの間隔ＴＷ４は、例えば２０ｍＳのように、上記戸外点検モードとは異なりパルスＢがすぐに発信される。そのパルスＢの短いタイミングによる検出により、感知器は点検動作を中断してマイコンに格納されている直前の戸外点検モードによる点検結果から、異常でなければパルスＢの立ち下がりからパルスＣの立ち下がりまで、確認灯を点灯する（図４のＬ−Ｃ間の信号波形と同時）。この動作間隔ＴＷ５は、室内で感知器の特定を行うのに確認灯が視覚的に十分確認できる時間、例えば０．５秒である。そして、上記戸外点検モードと同様、パルスＣ１の立ち下がりの検出時に、１番目の感知器は端子ＧＩ、ＧＯ間を短絡し、次の感知器の端子ＧＩには点検入力として電圧が印加され、同様に内蔵のマイコンが立ち上がる。なお、パルスＣと次のパルスＡの間隔ＴＷ３は上記と同様である。
【００２４】
このように、感知器特定モードでは、直前の戸外点検モードの結果を利用して、ｎ番目の感知器まで点検結果に基づく確認灯の点灯を各火災感知器４に行わせるものである。すなわち、戸外点検モードで異常の感知器の存在やその番号がわかっても、具体的に位置を特定することはできず、詳細な設備のデータがあっても実際の配線が異なる場合もある。したがって、感知器特定モードは、正常な感知器は点灯して異常の感知器は点灯しないことを目視でき、具体的な位置での正常な感知器を確認するには有効な手段である。また、戸外点検モードと同様、点検中以外の感知器が火災監視を続行していることはもちろんである。
【００２５】
次に、特定された異常の火災感知器の場所を確認するための感知器指定モードについて説明する。このときの波形を、図２および図３、または図４および図５と同様に、図６および図７に示す。このモードでは、点検器１２に確認する感知器が何番目かを指定し（図４では２番目）、点検器１２は、出力線７に対して指定された感知器のみ端子Ｇから電圧を印加して図５と同様のタイミングでパルス出力を行い、他の感知器に対しては図７に示すように、パルスＢとパルスＣの間隔を例えば２０ｍＳのように短くする。
【００２６】
各火災感知器４の端子ＧＩ、ＧＯ間は、上記各モードと同様、常時オープンであり、点検器１２から点検入力の電圧が出力されていないので、オープンである。戸外点検モードから感知器特定モードに切り換え操作されると、端子Ｇから上記同様図６に示すパルス幅が上記同様５ｍＳのパルスＡ１〜Ｃｎを出力する。感知器は端子ＧＩへの電圧印加により内蔵するマイコンが立ち上がり、パルスＡの立ち下がりにより点検動作を開始する。そして、パルスＢがすぐに発信され、点検動作を中断して直前の戸外点検モードの点検結果から、パルスＢの立ち下がりからパルスＣの立ち下がりまで、確認灯を点灯する。この動作時間について、図６に示す２番目の感知器に対するパルスＢ２、Ｃ２間は室内で感知器の特定を行うのに確認灯が視覚的に十分確認できる時間である。２番目以外の感知器（１番目やｎ番目）については、図７に示すタイミングで点検器１２からパルス出力が行われ、単純に早いタイミングにより順送りが行われる。
【００２７】
このように、感知器指定モードでは、感知器特定モードと同様に、戸外点検モードの結果を利用して、ｎ番目の感知器まで点検結果に基づく確認灯の点灯を各火災感知器４に行わせるが、異常であると予想される感知器のみを十分な時間確認灯を点灯させ、他の感知器は短縮する。すなわち、感知器特定モードで異常の感知器を具体的に位置を特定し、これを確認することができる。したがって、感知器指定モードは、異常の感知器であることを確認するには有効な手段である。また、他のモードと同様、点検中以外の感知器が火災監視を続行していることはもちろんである。
【００２８】
図８は、図１のシステムに使用される火災感知器４の具体例としてのサーミスタ式熱感知器４ｈの回路図である。
【００２９】
熱感知器４ｈは、電源兼信号線２、３がそれぞれ接続される端子Ｃ、Ｌを電源として、安定した電圧および電流を供給する定電圧回路Ｂ２と、抵抗Ｒ１とコンデンサＣ１との充電時定数に基づきマイコンＩＣ１に割り込み入力を行う発振回路Ｂ５と、マイコンＩＣ１の制御に基づきサーミスタＴＨの温度特性により火災による熱を検出するための熱検出回路Ｂ４と、マイコンＩＣ１の暴走時にリセット入力を行うリセット回路Ｂ３と、マイコンＩＣ１のより火災と判別されるときに端子Ｃ、Ｌ間を低インピーダンスの略短絡状態にスイッチングするスイッチング回路Ｂ１と、を有し、さらに、点検動作を行うために、出力線７の入力側が接続される端子ＧＩからの入力を検出する入力検出回路Ｂ６と、点検動作終了後に出力線７の出力側が接続される端子ＧＯへ順送り出力を行うための短絡回路Ｂ７と、端子ＧＯからの入力時にその入力を端子Ｃへ放出するための放出回路Ｂ８と、を有する。
【００３０】
次に、上記熱感知器４ｈの動作について説明する。常時発振回路Ｂ５において抵抗Ｒ１でコンデンサＣ１に充電され、その時定数に基づいてマイコンＩＣ１の割り込みポートＩＮＴに信号が送られる。マイコンＩＣ１は、このポートＩＮＴへ割り込み入力が入ったときにストップ状態からラン状態へ移行し、ポートＩＮＴへの入力回数が規定の回数のときに熱検知を行う。規定の回数でないときには、マイコンＩＣ１はポートＰ８からコンデンサＣ１の電荷を放電させてストップ状態となる。ここで、ストップ状態とは、マイコンのクロック停止状態であって、数μＡという非常に低消費の状態であって、ラン状態では数百μＡと大きな電流消費があるのに対して経済的な状態である。
【００３１】
熱検知を行う場合には、熱検出回路Ｂ４において抵抗Ｒ６を介して充電されたコンデンサＣ２の電荷を、抵抗Ｒ１１、Ｒ１２およびサーミスタＴＨを介して放電させるために、ポートＰ７をローレベル（グランド電位）とする。このときに、コンデンサＣ２の電位を抵抗Ｒ１０を通してマイコンＩＣ１内蔵のコンパレータのポートＰ６に入力して監視し、マイコンＩＣ１は、放電時間を計測することで温度測定を行う。このマイコンＩＣ１内蔵のコンパレータの基準電位は、抵抗Ｒ７、Ｒ８により決められる。そして、サーミスタＴＨは、図示しないが、感知器本体から突出して設けられ、感知器の設置場所の周囲温度に応答するものであって、このサーミスタＴＨを通したコンデンサＣ２からの放電時間は温度依存性があり、この放電時間により温度検出が可能である。また、この熱検知動作の何回かおきに、ポートＰ７をローレベルとする代わりに、ポートＰ８をローレベルとすることでコンデンサＣ２の電荷放出を抵抗Ｒ１１のみで放電させ、温度に影響されない放電時間を計測する。そして、サーミスタＴＨを含めた放電時間と含めない放電時間との比温度検出することで、コンデンサＣ２の個体差によるばらつきを消去することが可能である。  そして、マイコンＩＣ１は、予め記憶手段等に設定された判別基準に従って、測定結果に基づいて火災と判断される場合には、ポートＰｆをハイレベルとすることで、スイッチング回路Ｂ１のトランジスタＱ４をオンして、端子Ｃ、Ｌ間をスイッチングし、同時にトランジスタＱ３がオンして発光ダイオードＬＥＤによる確認灯を点灯させる。この端子Ｃ、Ｌ間は、後述する点検機能との関係で端子Ｃ側がグランド電位になるように極性を有しており、ダイオードＤ１が電源兼信号線２、３への逆接続による影響を防止している。
【００３２】
点検時、熱感知器４ｈには、出力線７を介して端子ＧＩに電圧が印加され、点検入力とされる。端子ＧＩの電圧により入力検出回路Ｂ６のトランジスタＱ５がオンされ、それに伴うトランジスタＱ１のオンにより、マイコンＩＣ１の割り込みポートＩＮＴに信号が送られる。この割り込みポートＩＮＴへの入力は、デュアルダイオードＤ２を介して発振回路Ｂ５からの入力と共通化されていて、入力検出回路Ｂ６からの入力かどうかは、同時に入力が行われるポートＰ１への入力レベルがハイレベルであることにより区別できる。すなわち、マイコンＩＣ１は、このポートＩＮＴへ割り込み入力が入りストップ状態からラン状態へ移行したときに、ポートＰ１への入力レベルがハイレベルであることを検知して、入力検出回路Ｂ６からの割り込み入力であると判断し、点検動作を開始する。
【００３３】
この出力線７を介する端子ＧＩへの点検入力は、マイコンＩＣ１がストップ状態のときに受けるとは限らないので、マイコンＩＣ１がラン状態のときには、所定のタイミングによりポートＰ１のレベルを確認する。そして、熱検出動作中であってもポートＰ１のハイレベル検出により点検動作を優先して行う。これは、上述のシステムの点検動作において、所定のタイミングで点検信号を出力する必要があるからである。
【００３４】
マイコンＩＣ１による点検動作は、まずコンデンサＣ２を早期に所定の電位まで充電させるために、ポートＰ５をハイレベルとして抵抗Ｒ６とこれよりも小さい抵抗Ｒ９とで充電する。そして、疑似的な高温度状態を形成するため、ポートＰ７とポートＰｔを同時にローレベルとしてコンデンサＣ２から放電させる。このときにサーミスタＴＨ等に抵抗Ｒｔを並列に接続することにより、放電の時定数が変化して放電時間が短縮されて、ポートＰ６を介してマイコンＩＣ１は、疑似的に高温度状態を検出することになる。そして、その結果に基づき、マイコンＩＣ１は、火災と判断し、ポートＰｆをハイレベルとすることで、スイッチング回路Ｂ１のトランジスタＱ４をオンして、端子Ｃ、Ｌ間をスイッチングし、同時にトランジスタＱ３がオンして発光ダイオードＬＥＤによる確認灯を点灯させる。このスイッチング動作のタイミングは、上述のシステムの点検動作に合わせて、所定のタイミングで行われ、端子Ｃ、Ｌから点検信号を出力する。このように、点検入力に基づいて放電時定数を変えることにより、疑似的に高温度を検出することが可能であり、点検動作を簡便に行うことができる。このときにマイコンＩＣ１は、詳細に示さない内蔵する記憶手段に上記点検結果を格納する。
【００３５】
この点検出力の後、マイコンＩＣ１は、受信部側からの次の感知器への点検入力が可能になるように順送り動作を行うが、このときに、放出回路Ｂ８の後述する放出動作を停止させるためのポートＰ３をハイレベルとするとともに、ポートＰ２をハイレベルとして短絡回路Ｂ７のトランジスタＱ７をオンしてトランジスタＱ６をオンし、端子ＧＩと端子ＧＯを短絡状態にする。その結果、端子ＧＩに入力されている出力線７の点検入力の電圧が端子ＧＯを介して次の感知器に流れ、次の感知器が上記同様に点検動作を行うことになる。そして、この動作の後、マイコンＩＣ１は、端子ＧＩに電圧が継続するのでラン状態を継続し、端子ＧＩの入力状態を監視しながら火災監視を行う通常動作を行う。このときに、図４のシステム全体としては、消費電流が増加してしまうことになるが、点検動作は一時的であるので何ら問題はない。
【００３６】
出力線７が接続される端子ＧＩ、ＧＯは極性があり、出力線７を間違えて逆に接続すると、内部部品に不具合が生じる場合がある。したがって、端子ＧＯから入力がある場合にその入力をグランド電位となるコモン線２に放出し内部部品を保護するため、端子ＧＯと端子Ｃの間に放出回路Ｂ８が設けられている。すなわち、端子ＧＯからの入力があると、短絡回路Ｂ７のトランジスタＱ６の手前でトランジスタＱ９、Ｑ１０がオンして抵抗値の小さい抵抗Ｒ３３を介して端子Ｃへ放出される。
【００３７】
上述のシステムの点検動作において、点検器１２は、出力線７に対して端子Ｇから電圧を印加してパルス出力を行うが、各感知器４に出力線７を逆に誤接続したものがあると、図１０に示すように、放出回路Ｂ８の動作に基づき抵抗Ｒ３３による誤接続を示す電位となる。その結果、点検器１２は、その電位を検出することにより、誤接続があることを判別し、正常に点検が終了した感知器もわかるので、誤接続の感知器が何番目であるかも判別できる。
【００３８】
また、感知器内において、上述の順送り動作時にこの放出回路Ｂ８が働くと、端子ＧＩ、ＧＯ間を短絡しても、点検入力が端子Ｃに放出されてしまい、次の感知器に送ることができない。したがって、上述の順送り動作時には、ポートＰ３をハイレベルとして放出回路Ｂ８のトランジスタＱ８をオンし、トランジスタＱ９に動作電圧が加わらなくする。
【００３９】
図９は、図１のシステムに使用される火災感知器４の具体例としての光電式煙感知器４ｓの回路図である。
【００４０】
煙感知器４ｓは、熱感知器４ｈと同様、電源兼信号線２、３がそれぞれ接続される端子Ｃ、Ｌと、定電圧回路Ｂ２と、発振回路Ｂ５と、リセット回路Ｂ３と、スイッチング回路Ｂ１と、入力検出回路Ｂ６と、短絡回路Ｂ７と、放出回路Ｂ８と、を有する。さらに、火災検出回路としての熱検出回路Ｂ４の代わりにマイコンＩＣ５の制御に基づき発光素子としての発光ダイオードＬｓの発光に基づき図示しない外光を遮断する煙検出部内における煙による散乱光を受光する受光素子としてのフォトダイオードＰＤの出力により火災による煙を検出するための発光回路Ｂ１４、増幅回路Ｂ１１およびサンプルホールド回路Ｂ１２と、を有する。
【００４１】
次に、上記煙感知器４ｓの動作について説明する。マイコンＩＣ５は、熱感知器４ｈのマイコンＩＣ１と同様に常時発振回路Ｂ５に基づくポートＩＮＴへ割り込み入力が入ったときにストップ状態からラン状態へ移行し、ポートＩＮＴへの入力回数が規定の回数のときに煙検知を行う。この発振回路Ｂ５のコンデンサＣ１および抵抗Ｒ１の間の電圧は、電源と同じ状態から抵抗Ｒ１を介したコンデンサＣ１への充電が始まり電位が低下する。この電位がＡＮＤゲートＩＣ６のポート閾電圧に低下すると、ＡＮＤゲートＩＣ６のマイコンＩＣ５のポートＩＮＴへの出力がハイレベルからローレベルへ変化する。そして、マイコンＩＣ５は、ポートＩＮＴへのローレベルの入力を検知する。
【００４２】
煙検知を行う場合には、マイコンＩＣ５は、発光回路Ｂ１４において抵抗Ｒ２６を介して充電されたコンデンサＣ３の電荷を放電させるために、ポートＰ７をハイレベルとし、発光ダイオードＬｓを発光させる。このときのフォトダイオードＰＤの受光出力を、増幅回路Ｂ１１およびサンプルホールド回路Ｂ１２を通してマイコンＩＣ５内蔵のコンパレータのポートＰ６に入力する。
【００４３】
そして、マイコンＩＣ５は、予め記憶手段等に設定された判別基準に従って、測定結果に基づいて火災と判断される場合には、ポートＰｆをハイレベルとしてスイッチング回路Ｂ１により端子Ｃ、Ｌ間をスイッチングし、同時に確認灯ＬＥＤを点灯させる。
【００４４】
点検時、煙感知器４ｓには、出力線７を介して端子ＧＩに点検入力として電圧が印加される。端子ＧＩの電圧により入力検出回路Ｂ６のトランジスタＱ５がオンされ、それに伴いＡＮＤゲートＩＣ６の入力をローとして、マイコンＩＣ５の割り込みポートＩＮＴにローレベルの信号が送られる。この割り込みポートＩＮＴへの入力は、熱感知器４ｈのデュアルダイオードＤ２を介した発振回路Ｂ５との共通化と方式とは異なるが、上述の発振回路Ｂ５のコンデンサＣ１への充電により電位がローレベルとなるときに、ＡＮＤゲートＩＣ６の入力がローになりマイコンＩＣ５の割り込みポートＩＮＴに信号が送られることで同様の作用を行う。そして、入力検出回路Ｂ６からの入力かどうかは、同時に入力が行われるマイコンＩＣ５のポートＰ１への入力レベルがローレベルであることにより区別できる。すなわち、マイコンＩＣ５は、ポートＰ１への入力レベルがローレベルであることを検知して、熱感知器４ｈと同様に、入力検出回路Ｂ６からの割り込み入力であると判断し、点検動作を開始する。
【００４５】
マイコンＩＣ５による煙感知器４ｓの点検動作は、まずコンデンサＣ３へ早期に充電を行うために、ポートＰ５をハイレベルとして抵抗Ｒ２６に抵抗Ｒ２５を並列にして充電する。そして、ポートＰ７とポートＰｔを同時にハイレベルとして発光ダイオードＬｓとともに点検用の発光ダイオードＬｔを発光させる。この点検用の発光ダイオードＬｔは、図示しない煙検出部内の配置によりフォトダイオードＰＤに直接光を入力できるものであって、煙が存在しなくてもフォトダイオードＰＤの出力は大きくなって、ポートＰ６を介してマイコンＩＣ５は、疑似的に高濃度の煙を検出することになる。そして、その結果に基づき、マイコンＩＣ６は、火災と判断し、ポートＰｆをハイレベルとしてスイッチング回路Ｂ１により端子Ｃ、Ｌ間をスイッチングし、発光ダイオードＬＥＤによる確認灯を点灯させる。このスイッチング動作のタイミングは、熱感知器４ｈと同様、上述のシステムの点検動作に合わせて、所定のタイミングで点検信号を出力を行う。このときにマイコンＩＣ５は、詳細に示さない内蔵する記憶手段に上記点検結果を格納する。
【００４６】
この点検出力の後、マイコンＩＣ５は、熱感知器４ｈと同様、短絡回路Ｂ７により受信部側からの次の感知器への点検入力が可能になるように順送り動作を行い、端子ＧＩと端子ＧＯを短絡状態にする。そして、この動作の後、マイコンＩＣ５はラン状態を継続し、端子ＧＩの入力状態を監視しながら火災監視を行う通常動作を行う。また、順送り動作時にこの放出回路Ｂ８が働くと、端子ＧＩ、ＧＯ間を短絡しようとしても、点検入力が端子Ｃに放出されてしまうので、順送り動作時には、ポートＰ３をハイレベルとして放出回路Ｂ８のトランジスタＱ８をオンし、トランジスタＱ９に動作電圧が加わらなくする必要がある。ここで、放出回路Ｂ８のトランジスタＱ８と直列に図１の抵抗Ｒ３３の代わりにツェナーダイオードＺ１が設けられて同様の作用を行う。
【００４７】
以上、図１のシステムに使用される火災感知器４の具体例としてのサーミスタ式熱感知器４ｈおよび光電式煙感知器４ｓについて説明してきたが、その他の種類の例えば炎感知器やニオイ感知器等を用いることができるが、そのときに、このシステムに必要な回路Ｂ６、Ｂ７、Ｂ８を設けておく必要がある。
【００４８】
図１１は、図１のシステムに使用される点検器１２および点検器１２が接続される線路切換器６のブロック回路図である。
【００４９】
点検器１２は、マイコン等を利用したコントロール回路Ｂ１６により全体が制御され、電流制限回路Ｂ１７に接続された端子Ｇを介して出力線７へ点検出力を送出するための発信回路Ｂ１８と、電流制限回路Ｂ１９に接続された端子Ｌを介してライン線３から各感知器４による点検信号を検出する抵抗やコンパレータ等による電流検出回路Ｂ２０と、端子ＬＰを介して火災受信機１の信号線２、３に抵抗Ｒｐによって疑似的に終端抵抗電位を与えるトランジスタ等によるスイッチ回路Ｂ２１と、端子ＳＴを介して線路切換器６に線路切換動作を行わせるとともに、火災受信機１に点検開始入力を与えるトランジスタ等によるスイッチ回路Ｂ２２と、コントロール回路Ｂ１６に接続された各種スイッチおよび表示灯等からなる表示操作部Ｂ２３と、信号線２、３に接続される各感知器４および点検器１２の電源となる蓄電池等による電源Ｂ２４とからなっている。
【００５０】
また、線路切換器６は、端子ＳＴｔおよび端子ＳＴを介して火災受信機１へ入力される点検器１２からの点検開始入力を検知して接点ｒ１、ｒ２をそれぞれｂからａに切り換えるリレーユニットＢ２５からなり、常時火災受信機１への端子ＬＩに接続されている各感知器４への端子ＬＯは、接点ｒ１のｂからａへの切り換えにより、点検器１２への端子Ｌｔに接続され、同時に、火災受信機１への端子ＬＩは、接点ｒ２のｂからａへの切り換えにより、点検器１２への端子ＬＰｔに接続される。その他の出力線７に接続される端子ＧＩから端子ＧＯへは完全にスルーであるし、コモン線２に接続される端子ＣＩから端子ＣＯ、さらに点検器１２からの端子Ｃｔについても常時接続状態である。
【００５１】
この点検器１２の操作について、図１２の表示操作部Ｂ２３のイメージ図および図１３の上記システム全体の戸外点検モードについてのフローチャートに基づき説明する。図１に示すように、点検器１２を戸外からコネクタ１１に接続した後、表示操作部Ｂ２３の電源スイッチＳ１を操作する。すると、点検器１２のコントロール回路Ｂ１６は、スイッチ回路Ｂ２１、Ｂ２２に動作出力を行って、端子ＳＴを介して線路切換器６のリレーユニットＢ２５を動作させるとともに、火災受信機１に点検開始入力を与える。このリレーユニットＢ２５の動作により、各感知器４からの信号線２、３は、火災受信機１から点検器１２に切り換えられ、火災受信機１の信号線２、３は、点検器１２の抵抗Ｒｐにより疑似的に終端抵抗によるインピーダンスが与えられ、火災受信機１の断線表示を行わせない。
【００５２】
この状態で、表示操作部Ｂ１８の点検開始スイッチＳ２を操作すると、戸外点検モードによる点検動作が開始されるが、選択スイッチＳ４を操作することにより、モードを順次選択することが可能である。そのモードは、モード表示灯Ｌ１７〜Ｌ１９により表示される。そして、戸外点検モードにより点検開始スイッチＳ２を操作すると、点検中灯Ｌ１４を点灯させるとともに、図１３のようにコントロール回路Ｂ１６の制御により戸外点検モードによる点検動作がスタートする。
【００５３】
先ず、番号ｎを１として（ステップ１０１）、発信回路Ｂ１８を動作させて端子Ｇに点検入力としての電圧供給を開始する（ステップ１０２）。端子Ｇの状態を確認した後（ステップ１０３）、図３に示される間隔ＴＷ３のタイミングである時間１の待機後にパルスＡの出力（ステップ１０４、１０５）、さらに間隔ＴＷ１のタイミングである時間２の待機後パルスＢの出力を行い（ステップ１０６、１０７）、点検信号の有無を検出する（ステップ１０８）。この点検信号の有無は、点検器１２の端子Ｌを介して電流検出回路Ｂ１５の検出出力をコントロール回路Ｂ１６において認識するものであって、点検信号があれば、ｎ番の感知器が正常であると判断して、番号ｎに対応した表示灯Ｌ１〜Ｌ１０を点灯させ（ステップ１０９）、点検結果を図示しないコントロール回路Ｂ１６内のＲＡＭ等の記憶手段に格納し（ステップ１１０）、間隔ＴＷ２のタイミングである時間３の間待機して（ステップ１１１）、パルスＣの出力を行う（ステップ１１２）。そして、番号ｎを１インクリメントして、番号ｎと端子Ｌ、Ｇの状態を確認して（ステップ１１４、１１５、１０３）、ステップ１０４から繰り返す。
【００５４】
上記ステップ１０４〜１１３を繰り返すことにより、信号線２、３に接続された各感知器４に順次点検動作を行わせることができるが、後端の感知器の動作が終了すると、出力線７は終端ダイオード８を介してコモン線２に接続されるので、点検器１２の端子Ｇの電位は所定のレベルに低下する。したがって、ステップ１０３において、端子Ｇの電位は、ＡＤ変換されてコントロール回路Ｂ１６に取り込まれ、その電位の低下が所定の時間４継続するときに（ステップ１１９）後端の感知器まで点検動作を終了したとして正常終了の動作を行う（ステップ１２０）。この正常終了の動作は、格納した点検結果から点検信号の得られなかった番号があれば表示灯Ｌ１〜Ｌ１０の該当する表示灯を点滅させるとともに異常終了灯Ｌ１２を点灯し、異常がなければ正常終了灯Ｌ１１を点灯する。そして、発信回路Ｂ１８への出力を停止して端子Ｇへの電圧供給を停止し（ステップ１１７）、点検動作を終了して点検中灯Ｌ１４を消灯する。その結果、表示操作部Ｂ１８の表示灯Ｌ１〜Ｌ１０によって、点灯している番号は正常であり、点滅している番号は異常であることが認識できる。
【００５５】
また、点検を行う感知器の内に出力線７の接続される端子が誤っている場合、端子Ｇの電位は、正常終了時より低くなり（ステップ１１８）、異常終了として上記のように点検結果を表示灯Ｌ１〜Ｌ１０に示しながら、異常中断灯Ｌ１３を点灯して（ステップ１２１）終了する。同様に、ステップ１１３において番号ｎを１インクリメントした結果が１０以上になるときは（ステップ１１４）、上記と同様に異常終了とする。これは、本システムの点検できる感知器の個数が１０個を上限としているので、１１番目の感知器が存在しているときには異常とするものである。この点検できる個数は、点検器１２の表示能力や各感知器４での電位ロスを小さくすることにより多くすることが可能である。さらに、点検動作を行っていない感知器が火災を検出した場合、パルスＣの出力後にも、端子Ｌの電位低下が発生する（ステップ１１５）。その場合、点検器１２は火災終了としてスイッチ回路Ｂ２１、Ｂ２２をオフし（ステップ１１６）、その結果、火災受信機１において火災信号を検出することが可能になる。
【００５６】
上記のような動作により戸外点検モードによる点検動作が行われるが、選択スイッチＳ４を操作することにより、モードを順次選択することが可能である。そして各モードにおいても動作のステップは戸外点検モードと同一である。そして、モードにより異なる点は、時間の長さだけであり、時間１は各モード共通で間隔ＴＷ３（図３）、時間２は戸外点検モードで間隔ＴＷ１（図３）、感知器特定モードおよび感知器指定モードで間隔ＴＷ４（図５）、時間３は戸外点検モードで間隔ＴＷ２（図３）、感知器特定モードおよび感知器指定モードの指定された感知器の場合で間隔ＴＷ５（図５）、感知器指定モードの指定されない感知器の場合で間隔ＴＷ６（図７）となる。
【００５７】
上記実施形態では、各感知器４の点検動作は、点検器１２のパルスに合わせて動作および点検信号送出を行っているが、各感知器４において端子ＧＩの入力に基づき感知器内部でタイミングをとって同じ動作を行ってもよい。その場合には点検器１２は、点検信号を順次受信するだけでよいが、パルスに合わせて各感知器４に応答させることにより、点検器１２の点検信号検出を確実に行うことができる。また、点検器１２を火災受信機１と一体に構成してもよく、コネクタ１１を火災受信機１からや戸外表示器１０を通して引き出してもよい。さらに、出力線７は、例えばライン線３を用いてもよく、点検時にオープン状態にして、順次立ち上げながら、電源兼信号線２、３の電源供給を行っていく方式でもよい。そして、パルスＡ、Ｂ、Ｃの代わりにコード信号の伝送であってもよい。
【００５８】
以上のように、第１の発明は、火災受信機１や点検器１２等の受信部からの信号線２、３に複数の火災感知器４が並列に接続されてなる火災報知機において、各火災感知器４に受信部から開放状態で送り配線される出力線７が設けられて、各火災感知器４は、その出力線７の入力側ＧＩからの信号に基づき点検動作を行い点検信号を信号線２、３に出力する制御回路としてのマイコンＩＣ１、ＩＣ５と、その点検動作の終了後に出力線の入力側ＧＩと出力側ＧＯを閉成する短絡回路Ｂ７を有し、受信部は、各火災感知器４の点検信号を信号線２、３から個別に受信するものであって、各火災感知器４に順送り動作で個別に点検動作を行わせることが可能である。
【００５９】
また、第２の発明は、火災受信機１や点検器１２等の受信部からの信号線２、３に複数の火災感知器４が並列に接続されてなる火災報知機において、各火災感知器４に受信部から開放状態で送り配線される出力線７が設けられて、各火災感知器４は、その出力線７の入力側ＧＩからの信号に基づき点検動作を行う制御回路としてのマイコンＩＣ１、ＩＣ５と、その点検動作の終了後に出力線７の入力側ＧＩと出力側ＧＯを閉成する短絡回路Ｂ７を有し、出力線７の最末端の火災感知器は、出力線７の出力側を終端器としての終端ダイオード８を介して信号線２に接続し、受信部は、出力線７と信号線２間が終端ダイオード８を介した状態であることを検出する終了検出回路としてのコントロール回路Ｂ１１を有するものであり、受信部側で出力線７の状態を監視することにより、簡単にすべての感知器４の点検動作終了を検出することができる。
【００６０】
さらに、第３の発明は、火災受信機１や点検器１２等の受信部からの信号線２、３に複数の火災感知器４が並列に接続されてなる火災報知機において、各火災感知器４に受信部から開放状態で送り配線される出力線７が設けられて、各火災感知器４は、その出力線７の入力側ＧＩからの信号に基づき点検動作を行う制御回路としてのマイコンＩＣ１、ＩＣ５と、その点検動作の終了後に出力線７の入力側ＧＩと出力側ＧＯを閉成する短絡回路Ｂ７と、出力線７の出力側ＧＯからの信号入力時に、その信号入力を信号線２に放出する放出回路Ｂ８とを有し、受信部は、出力線と信号線間が放出回路Ｂ８を介した状態であることを検出する誤接続検出回路としてのコントロール回路Ｂ１１を有するものであり、出力線７の接続状態が誤っていることを受信部側から判別することが可能になる。
【００６１】
またさらに、第４の発明は、火災受信機１や点検器１２等の受信部からの信号線２、３に複数の火災感知器４が並列に接続されてなる火災報知機において、各火災感知器４に受信部から開放状態で送り配線される出力線７が設けられて、受信部は、各火災感知器４に点検開始させる点検開始信号（パルスＡ）、送出開始信号（パルスＢ）および送出停止信号（パルスＣ）をそれぞれ送出する信号送出回路としてのコントロール回路Ｂ１１および発信回路Ｂ１３と、各火災感知器４の信号を監視する受信回路としての電流検出回路Ｂ１５と、送出開始信号と送出停止信号との間に電流検出回路Ｂ１５が受けた信号を点検信号と認識するコントロール回路Ｂ１１による点検検出手段と、送出開始信号と送出停止信号との間以外に電流検出回路Ｂ１５が受けた信号を火災信号と認識するコントロール回路Ｂ１１による火災検出手段と、を有し、各火災感知器４は、出力線７からの点検開始信号に基づき点検動作を行い送出開始信号と送出停止信号との間に信号線７に点検信号を送出し火災監視動作を行う制御回路としてのマイコンＩＣ１、ＩＣ５と、送出停止信号に基づいて出力線７の入力側ＧＩと出力側ＧＯを閉成する短絡回路Ｂ７と、を有するので、受信部側からの点検信号のタイミング以外に信号があるときに受信部側で火災と判別することが可能である。
【図面の簡単な説明】
【図１】システムの一実施形態を概略的に示す構成図。
【図２】戸外点検モードにおける信号波形図。
【図３】図２におけるパルスのタイミングを示す信号波形図。
【図４】感知器特定モードにおける信号波形図。
【図５】図４におけるパルスのタイミングを示す信号波形図。
【図６】感知器指定モードにおける信号波形図。
【図７】図６におけるパルスのタイミングを示す信号波形図。
【図８】図１の火災感知器の一実施形態であるサーミスタ式熱感知器を示す回路図。
【図９】図８と同様に、光電式煙感知器を示す回路図。
【図１０】出力線に誤接続があるときの信号波形図。
【図１１】図１の点検器および線路切換器の一実施形態を概略的に示すブロック回路図。
【図１２】図１１の点検器の表示操作部を概略的に示すイメージ図。
【図１３】図１１の点検器の戸外点検モードにおけるフローチャート。
【符号の説明】
１  火災受信機
２、３  信号線
４  火災感知器
７  出力線
８  終端ダイオード
１２  点検器
【図１】
0003791852.tif 000002
【図２】
0003791852.tif 000003
【図３】
0003791852.tif 000004
【図４】
0003791852.tif 000005
【図５】
0003791852.tif 000006
【図６】
0003791852.tif 000007
【図７】
0003791852.tif 000008
【図８】
0003791852.tif 000009
【図９】
0003791852.tif 000010
【図１０】
0003791852.tif 000011
【図１１】
0003791852.tif 000012
【図１２】
0003791852.tif 000013
【図１３】
0003791852.tif 000014